(57)【要約】【課題】排気口を一面のみに設けた場合でも吹き出し方向を洗い場に向けることができることを目的とする。【解決手段】吹出口７には可動ルーバー９を設け、風向が洗い場側に向かうよう可動ルーバー９に有した風向板を一方向に向かって配列したという構成にしたことにより、温風が吹出す風路の吹出口７には一方向に向かい取り付けられた風向板が備え付けられているため、本体より吹出した空気は本体の吹出口７に対し、横方向に吹出すので、排気口８を一面のみに設けた場合でも吹き出し方向を洗い場に向けることができる浴室暖房乾燥機を得られる。【選択図】図２
2015172454.tif 000002
【特許請求の範囲】
【請求項１】
浴室内の浴槽上に設置され、空気を吸込み送風する送風手段と、前記送風手段により送風された空気の吹出方向を切り換える風路切換手段と、空気を温める加熱手段と、前記浴室内へ空気を吹出す吹出口と本体の外郭の一面に備えられ送風された空気を外部に排気する排気口とを有し、前記吹出口には可動ルーバーを設け、風向が洗い場側に向かうよう前記可動ルーバーに有した風向板を一方向に向かって配列したことを特徴とする浴室暖房乾燥機。
【請求項２】
可動ルーバーが反転することを特徴とした請求項１に記載の浴室暖房乾燥機。
【請求項３】
可動ルーバーを風向可動手段により駆動させ、前記風向可動手段は制御手段の指示により設定されることを特徴とした請求項１または２に記載の浴室暖房乾燥機。
【請求項４】
可動ルーバーを、第１の可動ルーバーと第２の可動ルーバーの２つの可動ルーバーが並列をなして配列することを特徴とする請求項１〜３のいずれかに記載の浴室暖房乾燥機。
【請求項５】
第１の可動ルーバーを駆動する第１の風向可動手段と第２の可動ルーバーを駆動する第２の風向可変手段とを設け、前記第１の風向可変手段と第２の風向可変手段とが独立で駆動することを特徴とした請求項１〜４のいずれかに記載の浴室暖房乾燥機。
【発明の詳細な説明】
【技術分野】
【０００１】
本発明は浴室に使用される浴室の換気やあるいは暖房あるいは衣類の乾燥に使用される浴室暖房乾燥機に関するものである。
【背景技術】
【０００２】
従来、この種の浴室暖房乾燥機は、浴室の天井に設置され、換気の時に屋外へ排気する排気ダクトの設置向きにより製品の設置向きを変え、一方浴室内では浴室洗い場に向けて吹き出すように吹出口の向きを変更して設置されたものが知られている（例えば、特許文献１参照）。
【０００３】
以下、その浴室暖房乾燥機について図６および図７を参照しながら説明する。
【０００４】
図６および図７に示すように、浴室暖房乾燥機１０１は送風手段１０２と吹出口１０３と排気口１０４からなり、ダンパー１０５を備えることにより吹き出しの風路を切換えて浴室に吹き出したり、屋外へ排気したり行う。排気口１０４は設置する浴室に応じて屋外へ排気する方向が決まるため、浴室内の浴槽の位置や洗い場の位置に関係なく排気口１０４の取り出し方向が制限される。
【０００５】
このため吹き出し方向が洗い場に向かない場合は、吹出グリル１０６を回転させて取り付けることにより、洗い場方向に吹き出す構成としていた。
【先行技術文献】
【特許文献】
【０００６】
【特許文献１】特許第４３１４８７９号公報
【発明の概要】
【発明が解決しようとする課題】
【０００７】
このような従来の浴室暖房乾燥機においては、製品施工時に９０度ずつ製品向きを変えたパターン（全４パターン）が要求され排気口を一面のみに設けた場合施工時の排気口が固定され、吹き出し方向が洗い場に向ける対応が困難であった、という課題を有していた。
【０００８】
そこで本発明は、上記従来の課題を解決するものであり、排気口を一面のみに設けた場合でも吹き出し方向を洗い場に向けることができる浴室暖房乾燥機を提供することを目的とする。
【課題を解決するための手段】
【０００９】
そして、この目的を達成するために、本発明は浴室内の浴槽上に設置され、空気を吸込み送風する送風手段と、前記送風手段により送風された空気の吹出方向を切り換える風路切換手段と、空気を温める加熱手段と、前記浴室内へ空気を吹出す吹出口と本体の外郭の一面に備えられ送風された空気を外部に排気する排気口とを有し、前記吹出口には可動ルーバーを設け、風向が洗い場側に向かうよう前記可動ルーバーに有した風向板を一方向に向かって配列したこととしたものであり、これにより所期の目的を達成するものである。
【発明の効果】
【００１０】
本発明によれば、浴室内の浴槽上に設置され、空気を吸込み送風する送風手段と、前記送風手段により送風された空気の吹出方向を切り換える風路切換手段と、空気を温める加熱手段と、前記浴室内へ空気を吹出す吹出口と本体の外郭の一面に備えられ送風された空気を外部に排気する排気口とを有し、前記吹出口には可動ルーバーを設け、風向が洗い場側に向かうよう前記可動ルーバーに有した風向板を一方向に向かって配列した、という構成にしたことにより、送風手段が駆動し浴室内の空気を吸込み、加熱手段を介して浴室内に温風を吹出す風路と、風路切換手段を回転することにより浴室外に排気する風路に切り換えられ、前記温風が吹出す風路の吹出口には一方向に向かい取り付けられた風向板が備え付けられているため、本体より吹出した空気は本体の吹出口に対し、横方向に吹出すこととなるので、排気口を一面のみに設けた場合でも吹き出し方向を洗い場に向けることができる、という効果を得ることができる。
【図面の簡単な説明】
【００１１】
【図１】本発明の実施の形態１の浴室暖房乾燥機のパネルを外した状態を示す下方からの斜視図
【図２】同浴室暖房乾燥機の構成を示す側面断面図
【図３】同浴室暖房乾燥機の可動ルーバーの斜視図
【図４】同浴室暖房乾燥機を示す図（ａ）同右方向吹き出しの時の外観図、（ｂ）同左方向吹き出しの時の外観図、（ｃ）同下吹き出しの時の外観図
【図５】本発明の浴室暖房乾燥機の浴室に取り付けた時の設置状態を示す斜視図
【図６】従来の浴室暖房乾燥機の構成を示す側面断面図
【図７】同浴室暖房乾燥機の下方からの外観図
【発明を実施するための形態】
【００１２】
本発明の請求項１記載の浴室暖房乾燥機は、浴室内の浴槽上に設置され、空気を吸込み送風する送風手段と、前記送風手段により送風された空気の吹出方向を切り換える風路切換手段と、空気を温める加熱手段と、前記浴室内へ空気を吹出す吹出口と本体の外郭の一面に備えられ送風された空気を外部に排気する排気口とを有し、前記吹出口には可動ルーバーを設け、風向が洗い場側に向かうよう前記可動ルーバーに有した風向板を一方向に向かって配列した、という構成を有する。これにより、送風手段が駆動し浴室内の空気を吸込み、加熱手段を介して浴室内に温風を吹出す風路と、風路切換手段を回転することにより浴室外に排気する風路に切り換えられ、前記温風が吹出す風路の吹出口には一方向に向かい取り付けられた風向板が備え付けられているため、本体より吹出した空気は本体の吹出口に対し、横方向に吹出すこととなるので、排気口を一面のみに設けた場合でも吹き出し方向を洗い場に向けることができる、という効果を奏する。
【００１３】
また、可動ルーバーが反転する、という構成にしてもよい。これにより、可動ルーバーは停止位置では風向板が見えない位置であり、３０〜１５０度回転すると浴室洗い場に吹出す向きで風向板は可動し、２１０度以上で風向板は洗い場側と反対方向に吹出す向きとなることにより、本体の施工時に浴室洗い場側に対し吹出口は本体から右または左側から導かれることとなるため本体の取り付けを１８０度回転させることが可能となり、本体の取り付け向きに関わらず同じ方向に吹き出すこととなるので、本体施工時に浴室洗い場側に対し吹出口を左右どちらにつけても洗い場側に風が向くようにできる、という効果を奏する。
【００１４】
また、可動ルーバーを風向可動手段により駆動させ、前記風向可動手段は制御手段の指示により設定される、という構成にしてもよい。これにより、本体の施工時の排気方向により、可動ルーバーの制御範囲が限定されるが、前記可動ルーバーは制御手段に電気的に接続されており、制御手段により可動範囲を限定させて動作するよう指示を送ることとなり、一方制御手段には記憶機能があり、一度限定された可動ルーバー範囲は、その後前回の記憶に基づき動作させるため、一度設定したら風向板は常に浴室洗い場方向に向かうこととなるので、左右どちらからの排気口で設置されても本体の運転時に常に洗い場側に風向を向けることができる、という効果を奏する。
【００１５】
また、可動ルーバーを、第１の可動ルーバーと第２の可動ルーバーの２つの可動ルーバーが並列をなして配列する、という構成にしてもよい。これにより、可動ルーバーが１つの場合の同一の吹き出し開口面積に対して約半分の面積の第１の可動ルーバーと第２の可動ルーバーとが反転することとなるので、本体の高さ寸法を低くすることができる、という効果を奏する。
【００１６】
また、第１の可動ルーバーを駆動する第１の風向可動手段と第２の可動ルーバーを駆動する第２の風向可変手段とを設け、前記第１の風向可変手段と第２の風向可変手段とが独立で駆動する、という構成にしてもよい。これにより、第１の可動ルーバーに備えた風向板と第２の可動ルーバーに備えた風向板の向きを独立に動作することとなるので、本体の施工時に排気口を浴室洗い場側に設けたとき浴室の洗い場側に広範囲で風を送ることができる、という効果を奏する。
【００１７】
以下、本発明の実施の形態について図面を参照しながら説明する。
【００１８】
（実施の形態１）
図１および図２に示すように、送風手段１を構成する送風用電動機２が駆動することによりファン３が回転し、吸込口４より空気を吸い込む。吸い込まれた空気は風路切換手段５により加熱手段６を介し吹出口７より浴室内に温風を吹き出す。また風路切換手段５が９０度回転することにより送風手段１からの風は排気口８より屋外に排出される。
【００１９】
加熱手段６の風下側には可動ルーバー９が備えられており、可動ルーバー９が軸を中心に可変することにより吹出口７から吹き出す風向きを変えることができる。
【００２０】
図３に示すように可動ルーバー９は２つの同形状の第１の可動ルーバー９ａと第２の可動ルーバー９ｂを備えており、各々の可動ルーバー９には風向可変手段であるルーバー駆動用電動機１０ａと１０ｂを有している。そして、可動ルーバー９は上下に上ルーバー１１と下ルーバー１２を備えており、前記上ルーバー１１と下ルーバー１２の間は一方向に角度を有した複数の風向板としてのフラップ１３を有しており、長手方向の両端には可動ルーバー軸１４を有しており、前記可動ルーバー軸１４の片側が風向可変手段としてのルーバー駆動用電動機１０と連結されており、ルーバー駆動用電動機１０が回転することにより可動ルーバー９は回転することとなり、各々の第１の可動ルーバー９ａ、第２の可動ルーバー９ｂは独立の動作を行う。可動ルーバー９は可動ルーバー軸１４を中心に３６０度回転することができる。
【００２１】
さらに、可動ルーバー９を、第１の可動ルーバー９ａと第２の可動ルーバー９ｂの２つの可動ルーバーが並列をなして配列し、可動ルーバー９が１つの場合は可動ルーバー９が反転するためには約吹出口７の可動ルーバー９の回転方向に垂直となる長さ寸法分の高さが必要となるが、開口面積同一の吹出口７の開口面積に対して約半分の面積の第１の可動ルーバー９ａと第２の可動ルーバー９ｂが反転するためには、約吹出口７の可動ルーバー９の回転方向に垂直となる長さ寸法分の高さの半分の高さ寸法となるので、本体２０の高さ寸法を低くくし、パネル１５の厚みを薄くするとかフラット化にすることができるなど設計自由度を増加させ結果美観性を向上することができる。
【００２２】
運転停止時には可動ルーバー９は吹出口７を塞ぐ向きで上ルーバー１１をパネル１５表面側に露出させ美観を保つが、運転状態となると例えばルーバー駆動用電動１０側から見て時計回りに９０度回転すると、上ルーバー１１と下ルーバー１２は吹出口７に対し垂直方向となり、複数のフラップ１３は排気口８から見て左方向に吹き出す角度となる。この状態で送風手段１が駆動すると、左に送風手段１を右側に排気口８の向きとした場合、吹出口７からは斜め下手前方向に吹き出すこととなる。
【００２３】
次に、図４を用いて様々な吹き出し方向パターンを説明する。パネル１５は側面には吸込み口開口部１６が設けられており、送風手段１が駆動することにより側面の吸込み口開口部１６より吸込み、吹出口７より吹き出すこととなる。図４ａはルーバー駆動用電動機１０側よりみて２つの第１の可動ルーバー９ａ、第２の可動ルーバー９ｂが時計回りに９０度回転した状態を示したものであり、排気口８を下に見て右方向に吹き出すこととなる。一方図４ｂはルーバー駆動用電動機１０側よりみて２つの第１の可動ルーバー９ａ、第２の可動ルーバー９ｂが反時計回りに９０度回転した状態を示したものであり、排気口８を下に見て左方向に吹き出すこととなる。さらに、図４ｃは、ルーバー駆動用電動機１０（１０ａ、１０ｂ）が独立で駆動することにより、送風手段１に近い側の第２の可動ルーバー９ｂがルーバー駆動用電動機１０側よりみて反時計回りに９０度回転し、第１の可動ルーバー９ａがルーバー駆動用電動機１０側よりみて時計回りに９０度回転することとなり、排気口８を下に見て左右に広がる方向で吹き出すこととなる。
【００２４】
なお、可動ルーバー軸１４は突起（図示せず）を有しており、一方可動ルーバー軸の周囲には突起に接触するリブ（図示せず）を設け、ルーバー駆動用電動機１０から見て可動ルーバー９が時計回りに回転し約３６０度回ったときに、前記突起が前記リブに当たって停止し、一方、可動ルーバー９を回転させる運転を停止したときには、ルーバー駆動用電動機１０から見て可動ルーバー９が反時計回りに回転し、再び前記突起が前記リブに当たって停止することになるため、停止したときの可動ルーバー９の回転角度が常に一定となる。
【００２５】
なお、図３、図４から、可動ルーバー９が開く時、吸込口４に近い可動ルーバー９ｂが最初に回転し始め、続いて、もう一方の可動ルーバー９ａが遅れて回転し始める。
【００２６】
また、可動ルーバー９が閉じる時、吸込口４に遠い可動ルーバー９ａが最初に回転し始め、続いて、もう一方の可動ルーバー９ｂが遅れて回転し始める。
【００２７】
理由は、可動ルーバー９ｂより吹き出す温風が可動ルーバー９ａに当たって熱による変形するのを抑制することができる。
【００２８】
次に、図５を用いて浴室に設置した場合の状態を説明する。図に示すように浴室１７の壁面に浴槽１８が設置されており浴槽１８以外の床面を洗い場１９として使用している。浴槽１８の上面に当たる個所に製品本体２０が設置されている。製品本体２０は浴室天井２１に設けた製品開口部２２を介して吸込口４および吹出口７を浴室１７内に露出している。一方製品本体２０の一側面には排気口８が設けられており排気ダクト２３が接続されている。吹出口７の斜め下方向には洗濯物を干すときに使用する物干しバー２４を備えている。
【００２９】
排気口８が洗い場１９より製品本体２０を見て左方向にあるため、ルーバー駆動用電動機１０側よりみて２つの第１の可動ルーバー９ａ、第２の可動ルーバー９ｂが反時計回りに９０度回転させることにより吹出口７は洗い場１９の方向に向けて吹き出すこととなる（図４ｂ）。排気口８が洗い場１９より製品本体２０を見て右方向にある場合には（図示せず）、ルーバー駆動用電動機１０側よりみて２つの第１の可動ルーバー９ａ、第２の可動ルーバー９ｂが時計回りに９０度回転させることにより吹出口７は洗い場１９の方向に向けて吹き出すこととなる（図４ａ）。また排気口８が洗い場１９側にある場合は（図示せず）、送風手段１に近い側の第２の可動ルーバー９ｂがルーバー駆動用電動機１０側よりみて反時計回りに９０度回転し、第１の可動ルーバー９ａがルーバー駆動用電動機１０側よりみて時計回りに９０度回転したものであり、排気口８を下に見て左右に広がる方向で吹き出すこととなる。さらに第１の可動ルーバー９ａおよび第２の可動ルーバー９ｂを洗い場１９側にルーバー駆動用電動機１０を駆動し回転、例えば天井面に対し上ルーバー１１が４５度となる角度に回転することにより、吹出口７からは広がった角度の風を洗い場１９側に送ることができる。
【００３０】
なお、本実施例では送風手段１に近い側の第２の可動ルーバー９ｂがルーバー駆動用電動機１０側よりみて反時計回りに９０度回転し、第１の可動ルーバー９ａがルーバー駆動用電動機１０側よりみて時計回りに９０度回転としたが、第１の可動ルーバー９ａ，第２の可動ルーバー９ｂの動きが逆でもよく、効果に何ら差異はない。
【００３１】
以上によって、時計周りに９０度および反時計周りに９０度で回転するので、結果、可動ルーバーが反転することとなる。
【００３２】
ルーバー駆動用電動機１０は電気的に制御手段２５と接続されており、制御手段２５は各運転モード、暖房・乾燥・換気の運転モードにおいて前回運転した運転時間・風向を記憶する記憶手段を有している。このため例えば排気口８が洗い場１９より製品本体２０を見て左方向の時に、一度ルーバー駆動用電動機１０側よりみて２つの第１の可動ルーバー９ａ、第２の可動ルーバー９ｂを反時計回りに９０度回転させた場合に、運転が終了した時点で運転時間・風向を記憶するため、次回からは可動ルーバー９の角度を設定することなく、吹き出し方向が洗い場１９に向くこととなる。これより浴室の暖房・乾燥および吹出口７斜め下に設置した物干しバー２４の下部にも風が向くこととなるため、衣類乾燥時にも一度設定すれば次回から風向の設定は特に必要と無くなる。
【産業上の利用可能性】
【００３３】
本発明にかかる浴室暖房乾燥機は、排気口を一面のみに設けた場合でも吹き出し方向を洗い場に向けることができることを可能とするものであるので、設置方向に制限があるが吹き出し方向を限定する必要のある空調機全般に有用である。
【符号の説明】
【００３４】
１    送風手段
２    送風用電動機
３    ファン
４    吸込口
５    風路切換手段
６    加熱手段
７    吹出口
８    排気口
９    可動ルーバー
１０  ルーバー駆動用電動機
１１  上ルーバー
１２  下ルーバー
１３  フラップ
１４  可動ルーバー軸
１５  パネル
１６  吸込み口開口部
１７  浴室
１８  浴槽
１９  洗い場
２０  製品本体
２１  浴室天井
２２  製品開口部
２３  排気ダクト
２４  物干しバー
２５  制御手段
【図１】
2015172454.tif 000003
【図２】
2015172454.tif 000004
【図３】
2015172454.tif 000005
【図４】
2015172454.tif 000006
【図５】
2015172454.tif 000007
【図６】
2015172454.tif 000008
【図７】
2015172454.tif 000009